(57)【特許請求の範囲】
【請求項１】
ディスクに設けられたＢＣＡ領域に複数記録されたＢＣＡ信号の信号間隔を測定し、当該測定結果をＢＣＡ信号間隔情報として出力するＢＣＡ信号間隔測定器と、
ＢＣＡ信号間隔情報に基づき、前記ＢＣＡ信号の信号間隔が何Ｔからなるかを示すＴ情報を取得するＴ変換器と、
前記Ｔ情報に基づきＢＣＡ領域のうちデータ領域から信号が得られていることを示す出力許可信号を出力するシーケンサと、
前記シーケンサからの前記出力許可信号に基づき前記Ｔ情報を２値化したチャネルデータに変換するチャネルデータ変換器とを有し、
前記シーケンサは、
前記Ｔ情報が示す前記ＢＣＡ信号の信号間隔が所定の間隔Ｔｈ２より小さいか否かの仮判定をし、
前記Ｔｈ２より大きい前記信号間隔が検出された後に、当該Ｔｈ２より小さい信号間隔が検出された場合に当該信号間隔を累積加算し、当該累積加算した領域がＴｈ３より大きければ当該領域をデータ領域候補であると再仮判定し、
前記データ領域候補であると前記再仮判定された領域以外の領域がＴｈ１（Ｔｈ２＜Ｔｈ１）より大きい場合に、当該領域を無信号領域であるスペース領域であると実判定すると共に、前記データ領域候補をデータ領域と実判定し、
当該実判定結果に基づき前記出力許可信号を出力するデコード装置。
【請求項２】
前記シーケンサは、
前記ＢＣＡ信号の信号間隔が前記Ｔｈ２より大きい場合に当該信号間隔を累積加算し、次に前記信号間隔が前記Ｔｈ２より小さくなるまでの累積加算結果を第１の累積加算結果とし、
前記Ｔｈ２より小さい信号間隔を累積加算し次に前記信号間隔が前記Ｔｈ２より大きくなるまでの累積加算間隔が前記Ｔｈ３より小さい場合は再び累積加算し、次に前記信号間隔が前記Ｔｈ２より小さくなるまでの累積加算結果を第２の累積加算結果とし、
この動作を繰り返して第Ｎの累積加算結果を得て、
前記Ｔｈ２より小さい信号間隔を累積加算し、当該累積加算間隔が前記Ｔｈ３より大きいことが検出され、かつ前記第１乃至第Ｎの累積加算結果を加算した結果が、前記Ｔｈ１より大きい場合に、前記第１乃至第Ｎの累積加算結果を得た領域を前記スペース領域と実判定する
ことを特徴とする請求項１記載のデコード装置。
【請求項３】
前記チャネルデータ変換器からのチャネルデータ内の同期パターンを検出し、この検出結果に基づきデータを復調する復調器と、
前記復調器にて復調されたデータを格納するバッファとを有する
ことを特徴とする請求項１又は２記載のデコード装置。
【請求項４】
前記チャネルデータ変換器からのチャネルデータを格納するバッファと、
前記バッファに格納されたチャネルデータ内の同期パターンを検出し、この検出結果に基づきデータを復調する復調器とを有する
ことを特徴とする請求項１又は２記載のデコード装置。
【請求項５】
前記復調器は、前記ＢＣＡ領域の前記データ領域にＫ個（Ｋは自然数）存在する固定パターンのうち、Ｎ個（Ｋ≧Ｎの自然数）の固定パターンを検出した時点で基準位置を決定し、当該基準位置に基づき前記同期パターンを検出する
ことを特徴とする請求項３又は４項記載のデコード装置。
【請求項６】
前記ＢＣＡ信号間隔測定器は、有信号が１、無信号が０である場合、信号の立ち上がり間隔を前記信号間隔として測定し、有信号が０、無信号が１である場合、信号の立ち下がり間隔を前記信号間隔として測定する
ことを特徴とする請求項１乃至５のいずれか１項記載のデコード装置。
【請求項７】
前記シーケンサは、
前記信号間隔＞前記Ｔｈ２を検出した後、当該信号間隔の数を全てカウントする第１のカウンタと、
前記信号間隔＞前記Ｔｈ２を検出した後、連続する、前記Ｔｈ２以下の前記ＢＣＡ信号の信号間隔の数をカウントする第２のカウンタと、
前記信号間隔＞前記Ｔｈ２の検出時に、前記第１のカウンタの値を取り込む第３のカウンタとを有し、
初期状態を示す第１の状態と、
前記スペース領域を判定する第２の状態とを有し、
前記第１の状態において、
前記信号間隔＞前記Ｔｈ２を検出すると、前記第２のカウンタをリセットし、前記第１のカウンタは前記信号間隔をカウントし、前記第１のカウンタのカウント値を前記第３のカウンタに取り込み、前記第２の状態とし、
前記第２の状態において、
前記信号間隔＞前記Ｔｈ２を検出すると、前記第２のカウンタをリセットし、前記第１のカウンタは前記信号間隔をカウントし、前記第１のカウンタのカウント値を前記第３のカウンタに取り込み、
前記信号間隔≦前記Ｔｈ２を検出すると、前記第１及び第２のカウンタは前記信号間隔をカウントし、前記第２のカウンタのカウント値が前記Ｔｈ３より大きくなった時点で、前記第３のカウンタのカウント値が前記Ｔｈ１より小さければ、前記第１の状態とし、前記第３のカウンタのカウント値が前記Ｔｈ１より大きければ、前記出力許可信号を出力して前記第１の状態とする
ことを特徴とする請求項１乃至６のいずれか１項記載のデコード装置。
【請求項８】
ディスクからデータを読み出す読み出し部と、
前記読み出し部が読みだしたデータをデコードするデコード部と、
前記デコード結果に基づきデータを再生する再生部とを有し、
前記デコード部は、
前記ディスクに設けられたＢＣＡ領域に複数記録されたＢＣＡ信号の信号間隔を測定し、当該測定結果をＢＣＡ信号間隔情報として出力するＢＣＡ信号間隔測定器と、
ＢＣＡ信号間隔情報に基づき、前記ＢＣＡ信号の信号間隔が何Ｔからなるかを示すＴ情報を取得するＴ変換器と、
前記Ｔ情報に基づきＢＣＡ領域のうちデータ領域から信号が得られていることを示す出力許可信号を出力するシーケンサと、
前記シーケンサからの前記出力許可信号に基づき前記Ｔ情報を２値化したチャネルデータに変換するチャネルデータ変換器とを有し、
前記シーケンサは、
前記Ｔ情報が示す前記ＢＣＡ信号の信号間隔が所定の間隔Ｔｈ２より小さいか否かの仮判定をし、
前記Ｔｈ２より大きい前記信号間隔が検出された後に、当該Ｔｈ２より小さい信号間隔が検出された場合に当該信号間隔を累積加算し、当該累積加算した領域がＴｈ３より大きければ当該領域をデータ領域候補であると再仮判定し、
前記データ領域候補であると前記再仮判定された領域以外の領域がＴｈ１（Ｔｈ２＜Ｔｈ１）より大きい場合に、当該領域を無信号領域であるスペース領域であると実判定すると共に、前記データ領域候補をデータ領域と実判定し、
当該実判定結果に基づき前記出力許可信号を出力する再生装置。
【請求項９】
ディスクに設けられたＢＣＡ領域に複数記録されたＢＣＡ信号の信号間隔を測定し、当該測定結果をＢＣＡ信号間隔情報として出力し、
ＢＣＡ信号間隔情報に基づき、前記ＢＣＡ信号の信号間隔が何Ｔからなるかを示すＴ情報を取得し、
前記Ｔ情報に基づきＢＣＡ領域のうちデータ領域から信号が得られていることを示す出力許可信号を出力し、
前記出力許可信号に基づき前記Ｔ情報を２値化したチャネルデータに変換する方法であって、
前記出力許可信号を出力する際は、
前記Ｔ情報が示す前記ＢＣＡ信号の信号間隔が所定の間隔Ｔｈ２より小さいか否かの仮判定をし、
前記Ｔｈ２より大きい前記信号間隔が検出された後に、当該Ｔｈ２より小さい信号間隔が検出された場合に当該信号間隔を累積加算し、当該累積加算した領域がＴｈ３より大きければ当該領域をデータ領域候補であると再仮判定し、
前記データ領域候補であると前記再仮判定された領域以外の領域がＴｈ１（Ｔｈ２＜Ｔｈ１）より大きい場合に、当該領域を無信号領域であるスペース領域であると実判定すると共に、前記データ領域候補をデータ領域と実判定し、
当該実判定結果に基づき前記出力許可信号を出力するデコード方法。
【請求項１０】
前記出力許可信号を出力する際は、
前記ＢＣＡ信号の信号間隔が前記Ｔｈ２より大きい場合に当該信号間隔を累積加算し、次に前記信号間隔が前記Ｔｈ２より小さくなるまでの累積加算結果を第１の累積加算結果とし、
前記Ｔｈ２より小さい信号間隔を累積加算し次に前記信号間隔が前記Ｔｈ２より大きくなるまでの累積加算間隔が前記Ｔｈ３より小さい場合は再び累積加算し、次に前記信号間隔が前記Ｔｈ２より小さくなるまでの累積加算結果を第２の累積加算結果とし、
この動作を繰り返して第Ｎの累積加算結果を得て、
前記Ｔｈ２より小さい信号間隔を累積加算し、当該累積加算間隔が前記Ｔｈ３より大きいことが検出され、かつ前記第１乃至第Ｎの累積加算結果を加算した結果が、前記Ｔｈ１より大きい場合に、前記第１乃至第Ｎの累積加算結果を得た領域を前記スペース領域と実判定する
ことを特徴とする請求項９記載のデコード方法。
【請求項１１】
前記変換されたチャネルデータ内の同期パターンを検出し、この検出結果に基づきデータを復調し、
復調されたデータをバッファに格納する
ことを特徴とする請求項９又は１０記載のデコード方法。
【請求項１２】
前記変換されたチャネルデータをバッファに格納し、
前記バッファに格納されたチャネルデータ内の同期パターンを検出し、この検出結果に基づきデータを復調する
ことを特徴とする請求項９又は１０記載のデコード方法。
【請求項１３】
復調の際、前記ＢＣＡ領域の前記データ領域にＫ個（Ｋは自然数）存在する固定パターンのうち、Ｎ個（Ｋ≧Ｎの自然数）の固定パターンを検出した時点で基準位置を決定し、当該基準位置に基づき前記同期パターンを検出する
ことを特徴とする請求項１１又は１２記載のデコード方法。
【請求項１４】
前記ＢＣＡ信号間隔を測定する際は、有信号が１、無信号が０である場合、信号の立ち上がり間隔を前記信号間隔として測定し、有信号が０、無信号が１である場合、信号の立ち下がり間隔を前記信号間隔として測定する
ことを特徴とする請求項９乃至１３のいずれか１項記載のデコード方法。
【発明の詳細な説明】
【技術分野】
【０００１】
本発明は、ＢＣＡ領域を有するディスクのデコード装置及びデコード装置を備える再生装置、並びにデコード方法に関する。
【背景技術】
【０００２】
図２０は、ディスク上のＢＣＡ信号領域を示す模式図である。図２１は、ＤＶＤのＢＣＡに記録されるデータのフォーマットを示す図である。ＤＶＤ、ＨＤ ＤＶＤ、Ｂｌｕ−ｒａｙなどのメディアにおいて、図２０に示すように、ディスクの内周側にＢＣＡ信号領域を有している。ＢＣＡ領域は、ディスク製造時、半径方向に強レーザで反射率が低くなるバーコード状の線を刻んでいくことで記録される。特定半径の特定回転数時に反射率の低い線と線の間隔に対して、１Ｔ相当の時間が規格上決められており、間隔幅をデータとして見なす。
【０００３】
ＢＣＡインフォメーションデータを取得するには、ＢＣＡ信号領域の先頭を検出する必要がある。そのため、従来、図２１で示される同期パターンＳＢＢＣＡをパターン比較し、検出することでインフォメーションデータ先頭位置を特定していた。しかし、ノイズ等の影響によって、同期パターン一致が検出されない場合、ＢＣＡのインフォメーションデータを取得する障害となっていた。
【０００４】
そこで、特許文献１では、インフォメーションデータ前のＳＢＢＣＡ、Ｐｒｅａｍｂｌｅ、ＲＳＢＣＡ１のうち２つを検出することで先頭位置検出精度の向上を図っている。図２２は、特許文献１に記載のＤＶＤ再生装置を示す図である。
【０００５】
図２２に示すように、デコード装置１００は、チャネルビットの変調・復調を行うＢＣＡデコード回路１１０と、チャネルビットなどをバッファリングするバッファリング回路１２０と、バッファリング回路によるバッファリング状況を監視するバッファリングカウンタ１２５と、予め設定された値を有するデータを検出して入力されるチャネルデータのデータ位置情報を検出するＢＣＡ同期パターン検出回路１３０から構成される。
【０００６】
ＢＣＡ同期パターン検出回路１３０は、先頭データ用比較パターン１３１ａとＥＣＣシンク用比較パターン１３１ｂが記憶されるＲＯＭ１３１と、チャネルビットを一時格納しておくためのシフトレジスタで構成されるレジスタ１３２と、チャネルビットと前記比較パターンとを比較する比較回路１３３と、比較結果に基づいてＢＣＡデータの先頭を検出する判定回路１３４から構成される。比較回路１３３は、スタートシンク比較回路１３３ａ及びＥＣＣシンク比較回路１３３ｂを有する。判定回路１３４は、スタートシンク判定回路１３４ａ及びＥＣＣエリア判定回路１３４ｂを有する。
【０００７】
更に、この特許文献１に記載のＤＶＤ再生装置は、前記デコード装置と光ディスク２０１と、回転制御を行うスピンドルモータ２０２と、レーザ照射が行われる光学ヘッド２０３と、レーザの反射光を受光するピックアップ２０４と、反射光を２値化する２値化回路２０５と、デコード装置１００の出力データを記憶する同期式ランダムアクセスメモリ（ＳＤＲＡＭ）２１０と再生装置内の回路を統括的に制御するＣＰＵ２２０から構成される。
【０００８】
光ディスク２０１は、スピンドルモータ２０２によって回転制御される。また、この光ディスク２０１には光学ヘッド２０３からレーザが照射され、このレーザの反射光がピックアップ２０４によって受光される。そして、この受光された反射光は２値化回路２０５にて２値化されるとともに、ここで上記ＲＺ変調に対する復調処理が施されてチャネルデータが生成される。このチャネルデータは、デコード装置１００に入力される。
【０００９】
また、デコード装置１００は、ＤＶＤのＢＣＡから読み出される再生データをデコードして同ＢＣＡに記録されているＢＣＡデータ（識別データ）の同期情報を抽出する回路である。そして、この出力されたデータは、同期式ダイナミックランダムアクセスメモリ（ＳＤＲＡＭ）２１０に記憶される。なお、これらデコード装置１００等、上記再生装置内の回路は、中央処理装置（ＣＰＵ）２２０によって統括的に制御される。
【００１０】
ＢＣＡデコード回路１１０は、上記位相変調されたチャネルデータを復調するとともに、この復調されたデータのうちＥＤＣを用いた誤り検出やＥＣＣの誤り訂正にかかるシンドローム計算を行う等、デコード処理を行う。央処理装置２２０では、このシンドローム計算の結果に基づいてＥＣＣの誤り訂正を行う。
【００１１】
一方、バッファリング回路１２０は、バッファリング開始の指令とともに、入力されるデータをバッファリングし、これが所定のデータ量（例えば４バイト）となる毎に、上記ＳＤＲＡＭ２１０に出力する回路である。なお、このバッファリング開始からのバッファリング回路１２０によるバッファリング状況は、バッファリングカウンタ１２５によって監視される。ＢＣＡ同期パターン検出回路１３０は、予め設定された値を有するデータを検出して、入力されるチャネルデータのデータ位置情報を検出する回路である。
【００１２】
ＢＣＡ同期パターン検出回路１３０は、図２１に示したデータのうち予め設定された値を有するデータを検出して、入力されるチャネルデータのデータ位置情報を検出する回路である。詳しくは、このＢＣＡ同期パターン検出回路１３０では、同期パターン及び先頭データを検出する。そして、図２１に示したインフォメーションデータの前に付与される６バイトのデータ（ＳＢＢＣＡ、ＢＣＡＰｒｅａｍｂｌｅ、ＲＳＢＣＡ１）を検出して上記バッファリング回路１２０にバッファリングの開始を指示するスタートトリガ信号を出力する。また、図２１に示したＥＣＣのパリティと第４の同期パターン（リシンク：ＲＳＢＣＡ１４）との境界を検出して、上記バッファリング回路１２０にバッファリングを停止するよう指示するストップトリガ信号を出力する。
【００１３】
ところで、ＢＣＡに記録されたデータに欠落が生じたり、再生データにノイズが混入したりした場合などには、たとえ同期パターンや先頭データが入力されたとしても、これを同期パターンや先頭データとして認識できないことがある。そして、このような場合、バッファリングを開始することができなかったり、不正なタイミングでバッファリングが開始されることが懸念される。そこで特許文献１においては、第１の同期パターン（ＳＢＢＣＡ）及び先頭データ（ＢＣＡ  Ｐｒｅａｍｂｌｅ）及び第２の同期パターン（ＲＳＢＣＡ１）の基準パターンのうちの少なくとも２つのデータと再生データとの一致に基づき、ＢＣＡデータ（識別データ）の先頭を検出する。
【００１４】
次に、図２３を用いて、特許文献１に記載の同期パターンの検出開始手順について説明する。図２１に示すように、インフォメーションデータ４バイトにつき、同期パターン１バイトの構成となっているのがわかる。また、インフォメーションデータを記録データ（チャネルデータ）とするために行う変調処理では、１ビットを２ビットに変調する。ここでは、記録データについて取り扱うため、同期パターンなどの比較の際に、図２１の規格のデータ幅に対して倍のデータ幅でそれぞれ取り扱う。たとえば、同期パターン１バイトは２バイトとして扱う。
【００１５】
＜１＞ステップＳＰ１０１
バッファリング回路１２０に入力されるＢＣＡ２値化信号（チャネルデータ）をレジスタ１３２に取り込む。
【００１６】
＜２＞ステップＳＰ１０２
スタート比較回路１３３ａにおいてこのレジスタ１３２に格納されたチャネルデータと先頭データ用比較パターン１３１ａとが比較される。すなわち、ここではレジスタ１３２に格納されたチャネルデータの先頭２バイトのデータと第１の同期パターンのデータパターンのデータパターンとが比較される。また、格納されたチャネルデータの先頭３バイト目から１０バイト目までの８バイトのデータとＢＣＡ Ｐｒｅａｍｂｌｅのデータパターンを比較される。更に、格納されたチャネルデータの先頭１１バイト目から１２バイト目までの２バイトのデータと第２の同期パターンのデータパターンとが比較される。ここでの比較は、比較不一致ビット数に関して任意数まで、不一致であっても許容することとする。
【００１７】
＜３＞ステップＳＰ１０３
Ｓ１１０での比較結果により、第１の同期パターン、ＢＣＡ Ｐｒｅａｍｂｌｅ、第２の同期パターンの３つのうち２つ以上一致した場合に先頭データであると認識し、＜５＞へ進む。一致しない場合は、＜４＞へ進む。
＜４＞ステップＳＰ１０４
【００１８】
レジスタ１３２を１ビット単位で順次シフトし、＜１＞へ進む。
＜５＞ステップＳＰ１０５
【００１９】
スタートシンク判定回路１３４ａからバッファリング回路１２０やＢＣＡデコード回路１１０にスタートトリガ信号を出力する。
【００２０】
次に、図２４を用いて特許文献１に記載の同期パターンの検出終了について説明する。ここでも、記録データについて取り扱うため、同期パターンなどの比較の際に、図５の規格のデータ幅に対して倍のデータ幅でそれぞれ取り扱う。
【００２１】
＜１＞ステップＳＰ２０１
ＢＣＡデコード回路１１０に入力されるＢＣＡ２値化信号（チャネルデータ）をレジスタ１３２に取り込む。
【００２２】
＜２＞ステップＳＰ２０２
レジスタ１３２に取り込んだデータが１０バイト分たまったかを判断する。溜まった場合は、＜３＞へ進む。溜まっていない場合は、＜９＞へ進む。
【００２３】
＜３＞ステップＳＰ２０３
バッファリングカウンタを＋４（復調後のインフォメーションデータに相当）する。
【００２４】
＜４＞ステップＳＰ２０４
レジスタ１３２に取り込んだデータの１バイト目から２バイト目をＥＣＣシンク用比較パターン１３１ｂと比較する。ここでの比較は、比較不一致ビット数に関して任意数まで、不一致であっても許容することとする。
【００２５】
＜５＞ステップＳＰ２０５
＜４＞の結果、一致したら＜６＞へ進む。一致しなかったら＜９＞へ進む。
【００２６】
＜６＞ステップＳＰ２０６
ＥＣＣシンク検出カウンタ１３６を＋１（インクリメント）する。
【００２７】
＜７＞ステップＳＰ２０７
バッファリングカウンタ１２５が１６の倍数であれば、＜８＞へ進む。１６の倍数でなければ＜９＞へ進む。１６の倍数であること、すなわち、４列毎にデータ構成を成すＢＣＡの規格上の境界を意味する。
【００２８】
＜８＞ステップＳＰ２０８
ＥＣＣシンク検出カウンタ１３６が２以上である場合は、終了する。２未満である場合は、＜９＞へ進む。２以上であるということは、４つあるＥＣＣシンクのうち２つ以上検出できたときを終了条件としているということである。
【００２９】
＜９＞ステップＳＰ２０９
レジスタ１３２を１ビット単位で順次シフトし、＜１＞へ進む。
【特許文献１】特開２００４−４７０５６号公報
【発明の開示】
【発明が解決しようとする課題】
【００３０】
ここで、ＢＣＡデータの取得は、Ｂｌｕ−ｒａｙディスクでは必須である。また、ＤＶＤ−ＲなどでもＣＰＲＭ対応のため、取得できなければならない。そのため、ＢＣＡデータ取得精度向上に寄与する技術が必要とされる。しかしながら、ノイズ等により、ＢＣＡインフォメーションデータ先頭検出の精度が低下し、ＢＣＡデータ取得の障害となっている。
【００３１】
今後、対応製品が増加すると見られる多層メディアにおいて、多層化の影響によるノイズなどにより光ディスクは傷がついた等の原因によって、周回しても同一箇所にノイズが発生するため、読み取れなくなる可能性がある。また、ＤＶＤでは、ＨＤ ＤＶＤやＢｌｕ−ｒａｙと異なり、物理フォーマット上、インフォメーションデータ長が可変である。従って、ＢＣＡデータ先頭と同様に終了位置検出も重要となる。特許文献１に記載の技術では、ＥＣＣシンクを終了条件としているため、ＥＣＣシンクが検出できない場合は、インフォメーションデータ長を誤る可能性がある。
【課題を解決するための手段】
【００３２】
本発明に係るデコード装置は、ディスクに設けられたＢＣＡ領域に複数記録されたＢＣＡ信号の信号間隔を測定し、当該測定結果をＢＣＡ信号間隔情報として出力するＢＣＡ信号間隔測定器と、ＢＣＡ信号間隔情報に基づき、前記ＢＣＡ信号の信号間隔が何Ｔからなるかを示すＴ情報を取得するＴ変換器と、前記Ｔ情報に基づきＢＣＡ領域のうちデータ領域から信号が得られていることを示す出力許可信号を出力するシーケンサと、前記シーケンサからの前記出力許可信号に基づき前記Ｔ情報を２値化したチャネルデータに変換するチャネルデータ変換器とを有し、前記シーケンサは、前記Ｔ情報が示す前記ＢＣＡ信号の信号間隔が所定の間隔Ｔｈ２より小さいか否かの仮判定をし、前記Ｔｈ２より大きい前記信号間隔が検出された後に、当該Ｔｈ２より小さい信号間隔が検出された場合に当該信号間隔を累積加算し、当該累積加算した領域がＴｈ３より大きければ当該領域をデータ領域候補であると再仮判定し、前記データ領域候補であると前記再仮判定された領域以外の領域がＴｈ１（Ｔｈ２＜Ｔｈ１）より大きい場合に、当該領域を無信号領域であるスペース領域であると実判定すると共に、前記データ領域候補をデータ領域と実判定し、当該実判定結果に基づき前記出力許可信号を出力するものである。
【００３３】
本発明においては、ＢＣＡ領域に存在する無信号のスペース領域（ブランク領域）を検出することでＢＣＡ領域の開始位置を検出するため、ＢＣＡデータ（インフォメーションデータ）をより確実に取得することができる。
【発明の効果】
【００３４】
本発明によれば、ＢＣＡ領域の開始位置をより確実に検出することができるデコード装置、再生装置及びデコード方法を提供することができる。
【発明を実施するための最良の形態】
【００３５】
以下、本発明を適用した具体的な実施の形態について、図面を参照しながら詳細に説明する。この実施の形態は、本発明を、信号間隔とその連続性によりブランク領域（スペース領域）を検出する再生装置に適用したものである。本実施の形態においては、スペース領域をインフォメーションデータ先頭検出条件として使用する。すなわち、スペース領域の終了検出位置をＢＣＡ信号の先頭として検出ことで、仮にＢＣＡ先頭パターンデータにノイズが載ってもＢＣＡ領域の信号を読み取ることができる。なお、特許文献１のように、第１の同期パターン、ＢＣＡ Ｐｒｅａｍｂｌｅ、及び第２の同期パターンを合わせて検出に利用してもよい。ここで、本明細書においては、ＢＣＡ領域において信号が形成されていない領域をスペース領域又はブランク領域ということとする。通常、ＢＣＡ領域には、このスペース領域が設けられている。
【００３６】
実施の形態１.
図１は、本実施の形態にかかる再生装置を示す図である。再生装置１は、ディスク１１、スピンドルモータ１２、ピックアップ制御部１３、アナログ回路１４、間隔測定器１５、Ｔ変換器１６、ＢＣＡ信号先頭検索シーケンサ１７、チャネルデータ変換器１８、復調器１９、エラー訂正回路２０、バッファ制御回路２１、及びバッファ２２を有する。
【００３７】
スピンドルモータ１２は、ディスク１１の回転制御を行う。ピックアップ制御部１３は、レーザを照射し反射光を受光する。アナログ回路１４はアナログ信号処理及びＡＤ変換処理を行う。間隔測定器１５は、ＢＣＡ領域の信号間隔を測定し、ＢＣＡ信号間隔情報を出力する回路であり、ディジタル信号変換後のＢＣＡ信号立ち上がりエッジ間隔をタイマで測定する。
【００３８】
Ｔ変換器１６は、ＢＣＡ信号間隔情報からＴ情報を取得する回路であり、間隔測定器１５で測定された信号間隔を元に何Ｔであるかの情報を生成する。ＢＣＡ信号先頭検索シーケンサ１７は、何Ｔであるかの情報を元にＢＣＡ信号先頭検索を行う。すなわち、Ｔ情報に基づきＢＣＡ領域のうちデータ領域から信号が得られていることを示す出力許可信号を出力する。ここで、ＢＣＡ信号先頭検索シーケンサ１７は、後述する第１の閾値Ｔｈ１によりＢＣＡ領域に存在する無信号領域であるスペース領域を検出し、当該検出結果に基づき出力許可信号を出力する。
【００３９】
このＢＣＡ信号先頭検索シーケンサ１７は、ＢＣＡ信号間隔が所定の範囲、ここでは規格範囲内であるか否かを判定する後述の第２の閾値Ｔｈ２を使用し、スペース領域である蓋然性が高い領域のＴ情報を累積加算し、当該累積加算結果を第１の閾値と比較することでスペース領域を検出する。より具体的には、ＢＣＡ信号間隔が規格範囲内であるか否かを判定する第２の閾値とＴ情報とを比較し、規格範囲外の信号間隔が検出されるとデータ領域からのＴ情報が入力されるまで当該Ｔ情報を累積加算し、当該累積加算されたＴ情報を第１の閾値と比較することでスペース領域を検出する。
【００４０】
ここで、規格範囲内のＴ情報が検出された場合にデータ領域からのＴ情報が入力されたことを判断する。この場合、後述するように、規格範囲外の信号間隔が検出された後、規格範囲内のＴ情報が検出された場合に当該Ｔ情報を累積加算し、当該累積加算されたＴ情報を、データ領域からのＴ情報が得られていることを判断するための後述の第３の閾値と比較することでデータ領域からのＴ情報が入力されたことを判断する。
【００４１】
チャネルデータ変換器１８は、ＢＣＡ信号先頭検索シーケンサ１７からの出力許可信号に基づきＴ情報をチャネルデータに変換する回路であって、何Ｔであるかの情報からチャネルデータを生成する。復調器１９は、チャネルデータと同期パターン及びプリアンブル等の固定パターン比較によって、インフォメーションデータ先頭位置を検索およびインフォメーションデータ復調を行う。
【００４２】
バッファ制御回路２１は、バッファアクセスに対する制御を行う。バッファ２２は、インフォメーションデータ等を一時格納する。エラー訂正回路２０は、バッファ制御回路を介してバッファよりインフォメーションデータやＥＣＣを取得し、エラー訂正を行う。なお、光ディスクは取り換え可能で備え付けとは限らない。
【００４３】
ディスク内周に位置するＢＣＡ領域には、強レーザで刻まれた反射率の低いバーコード状の形態でデータが記録されている。例えば、Ｂｌｕ−ｒａｙディスクでは１チャネルビット間隔１Ｔにあたる時間（半径＝２１．６ｍｍで、速度４．９１７ｍ/ｓ）は、２１７４ｒｐｍで５．８μｓである。
【００４４】
光ディスクドライブ装置は、ＢＣＡ信号の立ち上がりから立ち上がりまでの間隔を計測することで、チャネルデータを内部生成し、復調器１９に転送する。復調器１９は同期検出を行い、復調処理し、バッファリングを行う。バッファリングデータを再び取得し、エラー訂正を行いバッファに書き戻す。
【００４５】
次に、ＢＣＡ信号先頭検索シーケンサ１７について説明する。ＢＣＡ信号先頭検索シーケンサ１７は、ｂｃａｃｎｔ３１、ｔｍｐｃｎｔ３２、ｔｍｐｃｎｔ２（３３）、ｓｐｃｎｔ３４、ｂｂｕｆ３５、ｂａｄｒ３６、及び制御回路３７を有する。ｂａｄｒ３６は、ＢＣＡ信号がＢＣＡデータ領域であることを示す幅分、ＢＣＡ領域のデータ信号を一時保持するためのバッファのアドレスカウンタである。ｂｂｕｆ３５は、ＢＣＡ信号がＢＣＡデータ領域であることを示す幅分、ＢＣＡ信号を一時保持するバッファである。ｂｃａｃｎｔ３１は、Ｔ変換器１６からのＴ幅が第２の閾値Ｔｈ２内か否かを判定する判定部である。
【００４６】
ｔｍｐｃｎｔ３２は、検出したスペース幅をカウントするためのカウンタであり、スペース幅に加え、ＢＣＡ信号がＢＣＡデータ領域からの信号であることの判断に必要な分のＴ情報もカウントする。ｔｍｐｃｎｔ２（３３）は検出したスペース幅をカウントするためのカウンタであり、スペース幅のカウント値のみをｔｍｐｃｎｔ３２から受け取る。ｓｐｃｎｔ３４は、規定内検出Ｔ幅が連続して検出されたときにそのＴ幅を累積する。これらｂｃａｃｎｔ３１、ｔｍｐｃｎｔ３２、ｔｍｐｃｎｔ２（３３）、ｓｐｃｎｔ３４、ｂｂｕｆ３５、ｂａｄｒ３６は制御回路３７により制御される。ＢＣＡ信号先頭検索シーケンサ１７は、記憶部４３にＴｈ１、Ｔｈ２、Ｔｈ３を記憶保持しており、これらの閾値とカウンタのカウント値との比較結果によりその状態（ｓｔａｔｅ）４２が変化し、出力許可信号（ｏｕｔｅｎ）出力部４１より出力許可信号を出力する。ＢＣＡ信号先頭検索シーケンサ１７の動作については後述する。
【００４７】
先ず、ＢＣＡデータ取得方法について説明する。図２は、ＢＣＡデータ取得方法を示すフローチャートである。各処理に関する制御は、マイコン等による制御回路（図１不図示）から行われるものとする。
【００４８】
まず、ステップＳＰ１において、ディスク回転制御、ピック調整などを行い、ＢＣＡ信号引き込みを行う。次に、ＢＣＡ信号先頭検索シーケンサ１７、復調器１９、エラー訂正回路２０の初期化を行う（ステップＳＰ２）。そして、復調器１９を起動し、ＢＣＡ信号先頭検索シーケンサからのデータ待ち状態とする（ステップＳＰ３）。
【００４９】
次に、ＢＣＡ信号先頭検索シーケンサ１７を起動し、Ｔ変換器１６から送られてくるＴ情報の判定処理を開始させる（ステップＳＰ４）。次いでＢＣＡインフォメーションデータ先頭の検索を行う。ＢＣＡ信号先頭検索シーケンサ１７がスペース領域最後を検出するか、復調器１９が同期パターン検出することにより、ＢＣＡ信号先頭を検出する。
【００５０】
ＢＣＡ信号先頭検索シーケンサ１７がスペース領域最後を検出したときは、インフォメーションデータまでに同期パターンやプリアンブルが存在するため、この同期パターンやプリアンブルをスキップしてもよい。またはスペース領域最後を検出後に復調器１９でパターン一致により、インフォメーションデータ位置を検出してもよい。もしくは、ＢＣＡ信号先頭検索シーケンサ１７がスペース領域最後を検索できない場合でも、復調器１９でパターン一致によりインフォメーションデータ位置を検出してもよい。以上により、出力許可信号＝１となる。
【００５１】
次に、取得すべきＢＣＡインフォメーションデータの最後の検索を行う。再びＢＣＡ信号先頭検索シーケンサ１７がスペース領域の最後を検出するか、復調器１９が同期パターンを検出することにより、ＢＣＡ信号先頭を検出する。ＢＣＡ信号先頭検索シーケンサ１７がスペース領域の最後を検出したときは、インフォメーションデータまでに同期パターンやプリアンブルが存在するため、この同期パターンやプリアンブルをスキップしてもよい。または、スペース領域最後を検出後に復調器１９でパターン一致によりインフォメーションデータ位置を検出してもよい。もしくは、ＢＣＡ信号先頭検索シーケンサ１７がスペース領域最後を検出できない場合であっても、復調器１９でパターン一致によりインフォメーションデータ位置を検出してもよい。以上によりサンプリング及び復調処理が終了したら（ステップＳＰ５）、出力許可信号＝０となる。また、規格に応じたデータ数（Ｂｌｕ−ｌａｙ  Ｄｉｓｃｄｅｈａ４６４８チャネルビット）の取得にてデータ取得を終了してもかまわない。
【００５２】
次に、ＢＣＡ信号先頭検索シーケンサ１７を停止し（ステップＳＰ６）、それ以降のデータがチャネルデータ変換器１８以降に転送されるのを防ぐ。次いで復調器１９を停止し（ステップＳＰ７）、復調データをエラー訂正する（ステップＳＰ８）。そして、エラー訂正処理が終了するのを待って（ステップＳＰ９）、エラー訂正結果が訂正不能である場合（ステップＳＰ１０：Ｙｅｓ）はステップＳＰ２へ戻り、再度サンプリングから実行する。訂正不能でない場合はＢＣＡインフォメーションデータを得たことになる。
【００５３】
次に、Ｓ４、Ｓ５のＢＣＡ信号の先頭検索手順について説明する。まず、光ディスクドライブ装置のサンプリングまでの動作概要を説明する。Ｔ変換器１６には、１Ｔの閾値となる値を、予め定められた値もしくはマイコン等による制御回路により任意の値に設定可能であるとする。
【００５４】
間隔測定器１５は、ＢＣＡの１Ｔに対して十分細かいクロックでサンプリングを行う。最初のＢＣＡ信号立ち上がり検出でカウンタを動作させて、以降、ＢＣＡ信号立ち上がり検出毎にＢＣＡ信号立ち上がり間隔が何クロックであったかをＢＣＡ信号間隔情報としてＴ変換器１６に転送する。ＢＣＡ信号間隔情報は、クロック数のほか、時間情報としてもよい。
【００５５】
Ｔ変換器１６は、間隔測定器１５からＢＣＡ信号間隔情報を得たとき、取得したＢＣＡ信号間隔情報を１Ｔに相当するクロック数で除算することでＴ情報に変換し、ＢＣＡ信号先頭検索シーケンサ１７に転送する。ＢＣＡ信号間隔情報を時間情報として扱った場合には、１Ｔに相当するクロックも１Ｔに相当する時間とする。
【００５６】
たとえば、ＢＣＡ信号間隔情報が２２．０４μｓであったとする。Ｔ変換器には予め１Ｔの閾値となる値がマイコン等の制御回路より、５．８μｓに設定可能であるとする。２２．０４μｓは、５．８μｓを３．８個含むので、四捨五入し、４Ｔと計算する。Ｔ変換器１６は、ＢＣＡ信号先頭検索シーケンサ１７に４という数値を転送する。ＢＣＡ信号先頭検索シーケンサ１７は、ＢＣＡ信号領域のみ出力許可信号＝１として、チャネルデータ変換器１８にＴ情報を出力する。チャネルデータ変換器１８は取得したＴ情報をチャネルデータに変換して復調器１９へ転送し、出力許可信号を復調器１９に出力する。復調器１９は、チャネルデータ変換器１８から得られた出力許可信号＝１のときか、同期パターン検出によって、インフォメーションデータに該当するデータを検出できた場合に、当該データをバッファ制御回路２１経由でバッファ２２にバッファリングする。
【００５７】
また、他のＴ情報の求め方として以下の方法がある。間隔測定器１５は１Ｔに相当するクロック数経過毎にＴ変換器にカウントアップ信号を送る。ここで計測したＢＣＡ信号間隔時間は初期化及びＴ変換器への転送、ＢＣＡ信号検出ごとに０クリアする。Ｔ変換器はカウントアップ信号を受けて、Ｔ情報をカウントアップする。間隔測定器１５は、ＢＣＡ信号を検出したときに残りクロック数をＴ変換器に送ってからＢＣＡ信号間隔時間を０クリアする。Ｔ変換器は１Ｔに相当するクロック数の１／２以上の値である場合には、Ｔ情報に１加算（四捨五入）する。Ｔ変換機は、算出したＴ情報をＢＣＡ信号先頭検索シーケンサに送る。ここで、Ｔ情報は初期化及びＢＣＡ信号先頭検索シーケンサへの転送直後に０クリアする。以上のようにしてＴ情報を求めると除算器が不要となり、ハードウェア量を削減することができる。
【００５８】
次に、ＢＣＡ信号先頭検索シーケンサ１７の動作について説明する。ＢＣＡ信号先頭検索シーケンサは、予め定められた、又はマイコン等による制御回路から指定される任意の値に設定可能な上述の閾値Ｔｈ１、Ｔｈ２、Ｔｈ３とＴ情報を比較し、ＢＣＡ信号領域最後の信号からＢＣＡ信号領域先頭の信号を検出したとき、出力許可信号＝１とする。この場合、ＢＣＡ信号先頭検索シーケンサ１７は得られたＴ情報を全てチャネルデータ変換器１８に転送する。また、２回目にＢＣＡ信号領域最後の信号からＢＣＡ信号領域先頭の信号を検出となったときに、出力許可信号＝０としてＢＣＡ信号領域１周期のデータをサンプリングする。また、一定数のサンプリング数を取得した際に終了指令をマイコン等による制御回路からＢＣＡ信号先頭検索シーケンサ１７に出力することで、ＢＣＡ信号先頭検索シーケンサ１７はステート（状態）がＩＮＩＴに強制遷移し、出力許可信号＝０としてマイコン等の制御回路に終了を通知する。
【００５９】
図３は、ＢＣＡ領域のデータ領域及びスペース領域を示す図であって、図３（ａ）はノイズがないとき、図３（ｂ）は、スペース領域にノイズが存在するとき、図３（ｃ）は、データ領域にノイズが存在する場合を示す。図３（ａ）に示すように、理想的には、ＢＣＡ領域には、スペース領域（無信号領域、信号の変化がない領域）と、データ領域とのみからなる。ＢＣＡ信号先頭検索シーケンサ１７は、無信号領域がＴｈ１より広ければスペース領域と認識してこれを検出し、これにより、ＢＣＡ領域の信号の先頭を検出することができる。
【００６０】
一方、図３（ｂ）に示すように、スペース領域にノイズが存在する場合、スペース領域幅がＴｈ１より小さくなる。この場合は閾値Ｔｈ１のみではスペース領域を検出することができない。このため、本実施の形態においては、スペース領域内にノイズがあってもその前後のスペース幅を加算することでスペース領域と認識するようにする。現在のＴ情報がデータ信号であるか否かを判定するための閾値がＴｈ２である。閾値Ｔｈ３は、複数回繰り返されたデータ信号を検出するための閾値であり、データ領域からのＴ情報が得られていることを判断するための閾値である。この閾値により、ノイズやスペース領域に続く領域がデータ領域であるか否かを判定する。
【００６１】
また、図３（ｃ）に示すように、ＢＣＡ信号領域内に傷などの欠陥が生じてブランクとなる場合、これをスペース領域と誤認してしまう場合がある。そこで、本実施の形態においては、欠陥があっても、その幅と前後の信号領域とから欠陥と判断し、これを無視するようにする。このように、クリアな信号だけでなく、傷や欠陥がある場合であっても正確にスペース領域を発見するため、本実施の形態においては、上述の３つの閾値を使用する。スペース領域を検出するための閾値Ｔｈ１＝Ｙは、９０Ｔ程度、ＢＣＡ信号領域の信号であることを検出するための閾値Ｔｈ２＝Ｎは６Ｔ程度、ＢＣＡ信号領域であることを確認するための閾値Ｔｈ３＝Ｚは２０Ｔ程度である。
【００６２】
なお、これらの値はＢｌｕ−ｒａｙを例にとった場合である。ここで、本実施の形態においては、ＢＣＡ領域のデータ領域及びスペース領域にノイズが存在している場合について説明するが、ノイズが存在しない場合は、閾値Ｔｈ１のみでスペース領域を検出することができる。また、閾値Ｔｈ１に合わせて閾値Ｔｈ２を使用すれば、データ領域であることが判別でき、閾値Ｔｈ１よりスペース領域であり、かつ閾値Ｔｈ２によりデータ領域でない、すなわち、スペース領域である蓋然性が高い領域をさらに精度よく検出することができる。
【００６３】
ここで、先ず、ＢＣＡ信号先頭検索シーケンサ１７の動作の概略について説明する。図４乃至図６は、ＢＣＡ信号先頭検索シーケンサ１７の動作を説明するための図である。図中、ｂｃａｃｎｔ、ｔｍｐｃｎｔ２、ｓｐｃｎｔは、ｂｃａｃｎｔ３１、ｔｍｐｃｎｔ２（３３）、ｓｐｃｎｔ３４にてカウント又は設定されたＴ情報の累積値を示す。また、ＳＰ２３、ＳＰ２５、ＳＰ２７、ＳＰ２９、ＳＰ３０は後述する図７の各ステップに対応している。データ領域及びスペース領域にノイズがない場合は、図４に示すように、データ領域ではＴ情報がＴｈ２以下と判断されＢ１ループを通る。スペース領域に入るとＢ２を通ってｓｔａｔｅがＳＰＡＣＥｓｔａｔｅに移行する。その後、再びデータ領域に入ると累積Ｔ幅がＴｈ３を超えるためＳ４を通りＢＣＡ信号先頭検索シーケンサは再びＢＣＡｓｔａｔｅになる。
【００６４】
一方、スペース領域にノイズがある場合は図５に示すように、最初のデータ領域ではＢＣＡｓｔａｔｅのＢ１ループを通り、スペース領域の最初のノイズでＢ２を通りＳＰＡＣＥｓｔａｔｅに移行する。そしてＢＣＡ信号領域の先頭の信号でＳＰＡＣＥｓｔａｔｅであるのでＳ１ループを通る。データ領域に入ってＴ情報の累積結果がＴｈ３を超え、かつｔｍｐｃｎｔ２（３３）カウンタのカウント値はＴｈ１を超えるためＳ３を通りＢＣＡ信号先頭検索シーケンサは、再びＢＣＡｓｔａｔｅに移行する。この場合、Ｓ３を通るため、出力許可信号＝１となる。
【００６５】
データ領域に存在する欠陥を通る場合は、図６に示すように、欠陥を通るとＢ１ループからＢ２を通ってＳＰＡＣＥｓｔａｔｅに移行する。その後、Ｔ幅累積結果がＴｈ３を超えるけれど、ｔｍｐｃｎｔ２（３３）カウンタのカウント値はＴｈ１を超えないため、Ｓ４を通ってＢＣＡｓｔａｔｅに移行する。この場合、Ｓ４を通るため、上記と異なり出力許可信号は変化しない。
【００６６】
図７乃至図９を参照して、ＢＣＡ信号先頭検索シーケンサの詳細動作を説明する。図７は、ＢＣＡ信号先頭検索シーケンサの動作を示すフローチャートである。図８は、ＢＣＡ信号先頭検索シーケンサの状態遷移を示す模式図である。図９は、Ｔｈ１〜Ｔｈ３と、ディスク上の傷の大きさとの関係を示す模式図である。ここでは、ＢＣＡ信号先頭検索を行う上で問題となる例に対して説明する。図７は、出力許可制御に関するフローチャートであり、Ｔ変換器１６からのＴ情報取得及びチャネルデータ変換器１８へのデータ出力は省略する。図８に示すように、初期ステートをＩＮＩＴとする。現在のステートがＩＮＩＴであるときは、常に出力許可信号＝０とする。サンプリング開始時、ＩＮＩＴｓｔａｔｅからＢＣＡｓｔａｔｅ遷移時に初期化処理が行われるものとする。マイコン等の外部システムからサンプリグを停止し、再びサンプリングを開始する場合も初期ステートＩＮＩＴから始まるものとする。
【００６７】
図９に示すように、信号品質の悪いＢＣＡ信号の場合を考える。すなわち、スペース領域内にノイズが発生している場合、及びＢＣＡ信号領域内に傷などの欠陥によって信号そのものが欠落してしまう場合を想定する。図９に示すように、スペース領域のＢＣＡ信号間隔＝Ｍ、ＢＣＡ信号領域内最後の信号からノイズ１までの信号間隔をＳ、ノイズ１からノイズ２までの信号間隔をＴ、ノイズ２からＢＣＡ信号領域先頭の信号までの信号間隔をＵ、ＢＣＡ信号領域先頭内の欠陥の幅をＱとする。
Ｍ：一般的なスペース領域幅を示す。Ｂｌｕ−ｌａｙでは１０２Ｔである。
Ｑ：スペース領域と判別可能なレベルの欠陥幅を示す。本実施の形態においては、５０Ｔ程度とする。
【００６８】
図９の例における各ＢＣＡ信号間隔と一般的に以下の関係が成り立つような閾値Ｔｈ１＝Ｙ、Ｔｈ２＝Ｎ、Ｔｈ３＝Ｚを設定する。
Ｔｈ１＝Ｙ：スペース領域の９０％程度を示す。欠陥と区別のために十分余裕をもった設定値とする。Ｂｌｕ−ｌａｙでは９０Ｔ程度とすることができる。なお、Ｔｈ１は、９０Ｔに限らず、たとえば７０Ｔ乃至９５Ｔ等であってもよい。
Ｔｈ２＝Ｎ：ＢＣＡ信号の規格幅を判別できる程度の設定値とする。Ｂｌｕ−ｌａｙであれば２Ｔ〜５Ｔなのでそれより若干大きい例えば６Ｔ程度とすることができる。なお、Ｔｈ２には、６Ｔに限らず、７Ｔや８Ｔであってもよい。
Ｔｈ３＝Ｚ：スペース領域から再びＢＣＡ信号規格内の信号が連続していると判断するための幅を示す。本実施の形態においては２０Ｔ程度とする。すなわち、６Ｔ未満の領域が２０Ｔ以上続けばＢＣＡ信号領域であると判断することができる。Ｔｈ３は、１５Ｔ〜３０Ｔ程度であってもよい。本実施の形態においては、ノイズ・欠陥以外のＢＣＡ信号間隔は全てＮ未満とする。サンプリング開始地点を図９のＡ点として説明する。
【００６９】
＜Ａ１＞
サンプリング開始時、ｓｔａｔｅは、ＩＮＩＴｓｔａｔｅからＢＣＡｓｔａｔｅに遷移する（図７：ステップＳＰ２１、図８：Ｉ１）。
【００７０】
＜Ａ２＞
図９のＡ点からサンプリング開始した後、ｂｃａｃｎｔ３１は、Ｔ変換器１６から入力されるＴ情報とＴｈ２とをＴ情報が入力される毎に比較する。ＢＣＡ信号領域最後の信号（ディスク位置Ｂ）までで得られるＢＣＡ信号間隔（Ｔ情報）は全てＮ未満であるため（ステップＳＰ２１：Ｎｏ）、図７、図８のＢ１を通る。ＢＣＡ信号先頭検索シーケンサ１７は、ｂｃａｃｎｔ３１によりＴ幅が閾値Ｔｈ２より大きいか否かを判定することによってＢＣＡ信号間隔がＮ未満である、すなわちＢＣＡ信号領域内であることを確認している。
【００７１】
＜Ａ３＞
次に、ＢＣＡ信号領域最後の信号（ディスク位置Ｂ）からノイズ１（ディスク位置Ｃ）までで得られるＴ情報（信号間隔Ｓ）はＴｈ２（Ｎ＝６Ｔ）より大きいため（ステップＳＰ２２：Ｙｅｓ）、図７、図８のＢ２を通る（ＳＰ２３）。このとき、ｓｐｃｎｔ３４に０を代入、ｔｍｐｃｎｔ３２とｔｍｐｃｎｔ２（３３）にＴ情報を代入、ｂａｄｒ３６＝０に初期化、ｂａｄｒで示されるｂｂｕｆ３５に初期値の２Ｔを示すＴ情報を代入、ｓｔａｔｅにＳＰＡＣＥを代入する。従って、ＳＰＡＣＥｓｔａｔｅに遷移することになる。ここで、ｓｐｃｎｔ３４は、ｂｃａｃｎｔ３１のＴ幅が閾値Ｔｈ２より大きい（規格外である）と０にリセットされるカウンタで、リセットされるまではＴ変換器１６からのＴ情報の値を累積加算する。ｔｍｐｃｎｔ３２は、ｓｔａｔｅがＢＣＡからＳＰＡＣＥに移行するときリセットされるカウンタで、検出されたスペースの総幅を累積加算する。ｔｍｐｃｎｔ２（３３）は、ｂｃａｃｎｔの値が規格外であるとき、すなわち、ｓｔａｔｅがＢＣＡからＳＰＡＣＥに移行する場合及びＳＰＡＣＥｓｔａｔｅでＳ１を通る場合、ｔｍｐｃｎｔ３２の値を格納するレジスタである。
【００７２】
＜Ａ４＞
ノイズ１（ディスク位置Ｃ）からノイズ２（ディスク位置Ｄ）までに得られるＴ情報（信号間隔Ｔ）もＴｈ２＝Ｎより大きいため、図７、図８のＳ１を通る。すなわち、ＳＰＡＣＥｓｔａｔｅなので図７のステップＳＰ２１はＮｏとなり、信号間隔がＮより大きいためステップＳＰ２４はＹｅｓとなり、ステップＳＰ２５に進む。このとき、ｔｍｐｃｎｔ３２にはＴ情報を加算、ｓｐｃｎｔ３４に０を代入、ｔｍｐｃｎｔ２（３３）にｔｍｐｃｎｔを代入、ｂａｄｒ＝０に初期化、ｂａｄｒで示されるｂｂｕｆに初期値の２Ｔを示すＴ情報を代入する。
【００７３】
＜Ａ５＞
ノイズ２（ディスク位置Ｄ）からＢＣＡ信号領域先頭の信号（ディスク位置Ｅ）までで得られるＴ情報（信号間隔Ｔ）もＴｈ２＝Ｎより大きいため、図７、８はＳ１を通る。よって、ｔｍｐｃｎｔ３２はＴ情報を加算、ｓｐｃｎｔ３４に０を代入、ｔｍｐｃｎｔ２（３３）にｔｍｐｃｎｔを代入、ｂａｄｒ＝０に初期化、ｂａｄｒで示されルｂｂｕｆに初期値の２Ｔを示すＴ情報を代入する。
【００７４】
＜Ａ６＞
ＢＣＡ信号領域先頭の信号（ディスク位置Ｅ）以降のＢＣＡ信号間隔（Ｔ情報）はＴｈ２＝Ｎ未満のもの（規格内のもの）が連続する。その間のＢＣＡ信号間隔合計値、すなわちｓｐｃｎｔ３４の値がＺを超えない間は、ｓｔａｔｅはＳ２を通る。よって、ｔｍｐｃｎｔ３２にＴ情報を加算、ｓｐｃｎｔ３４にＴ情報を加算、ｂａｄｒ３６をインクリメント、ｂａｄｒ３６で示されルｂｂｕｆ３５に検出したＴ情報を代入する。ｂｂｕｆ３５は、ＢＣＡ領域の信号がデータ信号か、ノイズ又はスペース領域なのか不明な時点から、データ領域であることが判定できるまでの間、Ｔ情報を保持するバッファであり、ＢＣＡデータ領域であることが判明した場合、このｂｂｕｆ３５の値をデータバッファに送信する。これにより、データバッファは、ＢＣＡデータ領域であることが確実になった時点からバッファリングを開始することができる。すなわち、データバッファは、ＢＣＡデータ領域すべてのデータが必要であるが、最初の所定領域のデータは、データ領域であるか否かが判定できるまでバッファリングしない。
【００７５】
＜Ａ７＞
ＢＣＡ信号領域先頭の信号（ディスク位置Ｅ）以降のＢＣＡ信号間隔はＴｈ２＝Ｎ未満のものが連続する。その間のＢＣＡ信号間隔合計値Ｚ１、すなわちｓｐｃｎｔ３４の値がＺを超え、且つ、ｔｍｐｃｎｔ２（３３）がＳ＋Ｔ＋ＵでＴｈ１＝Ｙを超えるため、ｓｔａｔｅはＳ３を通る。ここで、ｓｐｃｎｔ３４は、Ｔ変換器１６からのＴ情報が入力される毎にＴｈ３と比較するようにすればよい。そして、Ｔｈ３を超えた場合にｔｍｐｃｎｔ２の値がＴｈ１以上であるか否かを確認することで、Ｓ３を通るかＳ４を通るかを決定する。すなわち、出力許可信号を反転するか否かを決定する。
【００７６】
ここでは、ｔｍｐｃｎｔ２の値がＴｈ１を超えるため、ｏｕｔｅｎ信号を反転することで出力許可信号＝１とする。すなわちｏｕｔｅｎ信号は、Ｓ３を通る毎に、現在の状態から反転する信号である。また、ｂａｄｒ３６をインクリメント、ｂａｄｒで示されるｂｂｕｆ３５検出したＴ情報の代入、ｓｔａｔｅにＢＣＡを代入する。従って、ＢＣＡｓｔａｔｅに遷移することになる。ｂａｄｒ３６は、規定外のＴ情報が入力されると０にリセットされる。図１０は、以上の流れを示すタイミングチャートである。ここで、ＢＣＡ信号先頭検索シーケンサ１７は、チャネルデータ変換器１８にｂｂｕｆ３５に溜めていた分のＴ情報を次のサンプリングまでに転送する。また、ｏｕｔｅｎ＝１のときは、ＢＣＡ信号先頭検索シーケンサ１７は、Ｔ変換器１６から受け取ったＴ情報をそのままチャネルデータ変換器１８に転送する。
【００７７】
＜Ａ８＞
その後、ＢＣＡ信号内の欠陥（ディスク位置Ｇ）までは、常にＢＣＡ信号間隔（Ｔ情報）はＴｈ２＝Ｎ未満であるので、Ｂ１を通る（ステップＳＰ２２：Ｎｏ、図７参照）。
【００７８】
＜Ａ９＞
欠陥で信号が欠落している箇所（ディスク位置Ｇ）から再び信号が復活するまで（ディスク位置Ｈ）のＴ情報はＴｈ２＝Ｎを超えるので、Ｂ２を通りＳＰＡＣＥｓｔａｔｅに遷移する（ステップＳＰ２２：Ｙｅｓ、図７参照）。Ｂ２での処理は上述のように、ｓｐｃｎｔ３４に０を代入、ｔｍｐｃｎｔ３２とｔｍｐｃｎｔ２（３３）にＴ情報を代入、ｂａｄｒ３６＝０に初期化、ｂａｄｒで示されるｂｂｕｆ３５に初期値の２Ｔを示すＴ情報を代入、ｓｔａｔｅにＳＰＡＣＥを代入する。
【００７９】
＜Ａ１０＞
以降、Ｔ情報はＴｈ２＝Ｎ未満のものが連続し、その間のＢＣＡ信号間隔合計値Ｚ２であるｓｐｃｎｔ３４の値がＴｈ３＝Ｚを超える。ただし、このときのｔｍｐｃｎｔ２（３３）はＱでＴｈ１＝Ｙ未満であるため、Ｓ４を通り、ＢＣＡｓｔａｔｅに遷移する。図１１は、以上の流れを示すタイミングチャートである。
【００８０】
＜Ａ１１＞
その後、再び信号が復活した箇所（ディスク位置Ｈ）からＢＣＡ信号領域最後の信号（ディスク位置Ｂ）を検出するまで、常にＢＣＡ信号間隔（Ｔ情報）はＴｈ２＝Ｎ未満であるので、Ｂ１を通る（図７、図８）。この場合、ディスクを１周し、再びＢＣＡ信号領域最後の信号までＢ１を通ることとなる。
【００８１】
＜Ａ１２＞
ディスク１周分読み出し、再び、ＢＣＡ信号領域最後の信号（ディスク位置Ｂ）からＢＣＡ信号領域先頭の信号（ディスク位置Ｅ）を検出すると、ＢＣＡ信号間隔を示すＴ情報はＴｈ２＝Ｎを超えているので、Ｂ２を通る。Ｂ２での処理は上述のように、ｓｐｃｎｔ３４に０を代入、ｔｍｐｃｎｔ３２とｔｍｐｃｎｔ２（３３）にＴ情報を代入、ｂａｄｒ３６＝０に初期化、ｂａｄｒで示されるｂｂｕｆ３５に２Ｔを示すＴ情報を代入、ｓｔａｔｅにＳＰＡＣＥを代入する。従って、ＳＰＡＣＥｓｔａｔｅに遷移することになる。
＜Ａ１３＞以降、Ｔ情報はＴｈ２＝Ｎ未満のものが連続し、その間のＢＣＡ信号間隔合計値Ｚ３がＴｈ３＝Ｚを超える。このときのｔｍｐｃｎｔ２（３３）はＴｈ１＝Ｙを超えているので、Ｓ３を通り、よってｏｕｔｅｎ信号を反転し、サンプリングを終了する。
以上のプロセスは、図１０に記載したものと同様となる。
【００８２】
ここで、特にＨＤ ＤＶＤやＢｌｕ−ｒａｙディスクのように、インフォメーションデータが固定長で、一定のサンプリング数の取得を行えば、以降のサンプリングを必要としないメディアがある。このようなメディアでは、Ａ１１乃至Ａ１３の処理を以下のＡ１１ａに代替してもよいし、併用してもよい。
【００８３】
＜Ａ１１ａ＞
ディスク１周分とみなせる任意のサンプリング数を取得した場合に、マイコン等の制御回路はＢＣＡ信号先頭検索シーケンサ１７を停止し、サンプリングを終了する。
【００８４】
ここでのディスク１周分とみなせる任意のサンプリング数とはＢｌｕ−ｒａｙでは、４６４８Ｔであるが、ＢＣＡ信号内のノイズ等によりサンプリング数にマージンを設けたい場合には、４６４８Ｔ＋αのサンプリングを行ってもよい。このとき、余分にサンプリングすることになるが、復調時に同期パターンでインフォメーションデータの位置を認識することができるので、余分なデータを除外することは可能である。
【００８５】
さらに、特許文献１と同様に、第１の同期パターン（ＳＢ３，３）、先頭データ（ＢＣＡ  Ｐｒｅａｍｂｌｅ）及び第２の同期パターン（ＳＢ０，０）の基準パターンのうちの少なくとも２つのデータと再生データとが一致した場合に、ＢＣＡデータの先頭を検出する方法を兼用してもよい。
【００８６】
次に復調器１９について説明する。ただし、ここではＢｌｕ−ｒａｙの規格に準じて説明する。復調器１９では、同期パターンの検索と同期パターン検出のための基準位置補正及び復調処理を行う。チャネルデータ変換器１８から送られてくるデータに対して、ＳＢ3,3（特許文献１のＳＢＢＣＡに相当）とプリアンブル、ＳＢ0,0（特許文献１のＲＳＢＣＡ1に相当）を検索し、任意の数以上検出した時点で基準位置を固定する。一度、検出した同期パターンから次の同期パターンまでの期待間隔を中心として任意の幅のウインドウを生成する。期待間隔を中心以外で同期パターンを検出した場合には位置情報を補正し、同期パターン間でのずれを補正する。また、同期パターンが見つからない場合は、期待間隔で強制的に自走する。ここで、ウインドウとは、検出した同期パターン位置を基準位置として、前後の複数チャネルビット分の期間を設け、この期間中に同期パターンが検出された場合は、同期パターンを検出とし、その検出位置を基準位置とするための期間である。自走とは、検出した同期パターン一を基準位置として、規格から決定される次同期パターン一を期待位置とすることである。
【００８７】
復調処理は、同期パターン検索で固定された位置から推測できるデータを復調する。固定された位置とはウインドウ補正及び自走で決定された後の位置である。ＨＤ ＤＶＤとＢｌｕ−ｒａｙに関しては、インフォメーションデータが固定長であるため、固定データ長の復調が終了条件となる。ＤＶＤのインフォメーションデータは、４列×Ｎの単位で可変長であるため、終了条件は、ＲＳＢＣＡ13を４回連続で検出するか、ＲＳＢＣＡ14を検出するか、再びＢＣＡ信号先頭検索シーケンサからの出力許可信号＝０となるかである。また、プリアンブルは固定パターン５５ｈが４バイト連続しているため、先の３つの条件と位置関係を照らし合わせて終了条件としてもよい。
【００８８】
本実施の形態では、スペース領域及び同期パターンより、ＢＣＡインフォメーションデータ取得精度を高めるもので、復調後のエラー訂正は公知の方法で行えばよい。
【００８９】
以下、ＢＣＡ規格について説明しておく。ここでは、代表してＢｌｕ−ｒａｙディスクのＢＣＡ規格を解説するが、ＤＶＤ及びＨＤ ＤＶＤなどでもバーコード状のデータ記録形態は同様である。ＢＣＡとは、Burst Cutting Areaの略である。図１２に、ディスク上のＢＣＡ領域の位置を示す。ＢＣＡ領域は、ディスクの内周部に位置する。ディスク製造時、半径方向に強レーザで反射率が低くなるバーコード状の線を刻んでいくことで記録される。特定半径の特定回転数時に反射率の低い線と線の間隔に対して、１Ｔ相当の時間が規格上決められており、間隔幅をデータとして見なす。
【００９０】
Ｂｌｕ−ｒａｙでは、ディスク半径２１．０ｍｍから２２．０ｍｍがＢＣＡとして使用される。バーコード状のデータ全てを合わせると、４６４８ｃｂｓとなる。ここでのｃｂｓはチャネルビット数を示す。また、ＢＣＡデータと先頭と最後尾の間にブランク期間があり、１０２±５０ｃｂｓ相当である。
【００９１】
図１３に示すように、反射率の高い１Ｔ間隔がチャネルデータ＝０となり、反射率の低い１Ｔ間隔がチャネルデータ＝１となる。半径２１．６ｍｍ地点で４．９１７ｍ/ｓの線速度のとき２１７４ｒｐｍとなり、１Ｔ間の時間としては５．８μｓとなる。ここでのｒｐｍという単位は１分あたりの回転数を示す。
【００９２】
図１４に示すＳＢとはＳｙｎｃ Ｂｙｔｅの略で同期パターンである。同期パターンは、ＳＢ０，０、ＳＢ０，１、ＳＢ０，２、ＳＢ０，３、ＳＢ１，０、ＳＢ１，１、ＳＢ１，２、ＳＢ１，３、ＳＢ３，２、ＳＢ３，２ の１０パターンであり、復調すると１ｂｙｔｅ相当である。ＢＣＡデータ構造は、同期パターンで区切られるフレームという単位が複数集まって構成されている。Ｂｌｕ−ｒａｙでは、３３フレームと最後にＳＢ３，２ で構成される。図１４に示すように、Ｂｌｕ−ｒａｙ ＢＣＡデータ構造は、４つの ｄａｔａ ｕｎｉｔに分けることができる。Ｉｘ,ｙはデータ部分であり、Ｃｘ,ｙはパリティ部分である。
【００９３】
Ｂｌｕ−ｒａｙ ＢＣＡは１−ｏｕｔ−ｏｆ−４ ｍｏｄｕｌａｔｉｏｎ方式で変調されている。図１５に１−ｏｕｔ−ｏｆ−４ ｍｏｄｕｌａｔｉｏｎ変換テーブルを示す。
【００９４】
図１６は、ＳＢｘ,ｙ で示されるフレーム毎の同期パターンを示す。ＳＢｘ,ｙ で示されるｘとｙは同期番号そのものである。この番号は前述の図１６で示される変調方式に従い変調される。
【００９５】
本発明においては、スペース領域を検出することでＢＣＡ領域のデータ領域先頭を検出する。スペース領域検出においては、スペース領域であることを判定するための閾値Ｔｈ１のみならず、ＢＣＡデータ領域のデータ信号であるか否かを判定するための閾値Ｔｈ２及びＢＣＡデータ領域内のデータを読み出していることを検出するための閾値Ｔｈ３を利用し、スペース領域にノイズが存在した場合や、データ領域に欠陥によりブランクがある場合などにおいても、正確にスペース領域を検出することができる。これにより、正確にＢＣＡデータ開始位置を検出することができる。
【００９６】
さらに、特許文献１では、ＥＣＣシンクを終了条件としているため、ＥＣＣシンクが検出できない場合は、インフォメーションデータ長を誤る。この点に関しても、本実施の形態においては、開始条件を終了条件とすることで、インフォメーションデータ長の誤認識を防止することができる。
実施の形態２.
【００９７】
図１７は、本発明の実施の形態２にかかる再生装置を示す図である。上述の実施の形態１においては、ＢＣＡ信号先頭検索シーケンサ１７がスペース領域最後の検出以降のＴ情報をチャネルデータ変換器１８経由で、復調器１９に転送していた。これに対し、本実施の形態においては、チャネルデータ変換でチャネルデータに変換してから直接バッファリングし、バッファリング済みのチャネルデータを改めて復調器１９が取得して復調する。
【００９８】
また、上述の実施の形態においては、特許文献１同様に同期パターン判定までにデータ保持の必要があり、復調器１９自身にレジスタ等の記憶回路を設ける必要があるが、図１９に示す本実施の形態にかかる復調器５９には記憶回路が不要となる。
【００９９】
また上述の実施の形態と異なり、チャネルデータ変換器１８は、ＢＣＡ信号先頭検索シーケンサからの出力許可信号＝１のときだけ、データを、バッファ制御回路２１を介して、バッファ２２に転送する。マイコン等の制御回路は、バッファにある程度データが貯まる毎に復調器を起動し、貯まった分のデータを復調する。既にデータバッファ内にデータがあるため、復調器内に同期パターン検出までのデータを貯める必要がない。復調器５９は、実施の形態１同様にＢＣＡ信号先頭検索シーケンサ１７からデータを得ていた要領で、復調処理を行う。このとき、復調器５９が行う同期パターン検出、復調処理等は実施の形態１と同様である。
【０１００】
なお、本発明は上述した実施の形態のみに限定されるものではなく、本発明の要旨を逸脱しない範囲において種々の変更が可能であることは勿論である。例えば、上述の実施の形態では、ハードウェアの構成として説明したが、これに限定されるものではなく、任意の処理を、ＣＰＵ（CenＴral Processing UniＴ）にコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【０１０１】
また、上述したように、本実施の形態においては、スペース領域を３つの閾値により判定したが、１つ又は２つの閾値を使用してスペース領域を判定してもよい。図１８は、Ｔｈ１のみでスペース領域を判定する場合を示すフローチャート、図１９は、Ｔｈ１、Ｔｈ２のみでスペース領域を判定する場合を示すフローチャートである。閾値Ｔｈ１のみで判定する場合、図１８に示すように、ＢＣＡ信号の間隔をＴｈ１により判定し、Ｔｈ１より大きい信号が現れた時点でスペース領域と判定する。データ領域に小さいノイズが存在してもスペース領域を検出することができる。
【０１０２】
閾値２つで判定する場合は、図１９に示すように、先ず、入力されるＴ情報がＴｈ２と比較されＴｈ２以下であればＢ１を通る。Ｔ情報がＴｈ２より大きいとＳＰ５３に進み、ＢＣＡｓｔａｔｅからＳＰＡＣＥｓｔａｔｅに移行する。ここまでの動作は実施の形態１と同様である。ＳＰＡＣＥｓｔａｔｅにおいて、Ｔ情報がＴｈ２以下であるか否かは判定され、Ｔｈ２以下であればＳＰ５５に進む。一方、Ｔ情報がＴｈ２以上のものが入力されるとＳＰ５８に進む。そして、Ｔｈ１より大きければＳＰ５９に進み、スペース領域と判断され、ＢＣＡｓｔａｔｅに戻る。Ｔｈ１より小さければ、ステップＳ６０に進み、ノイズと判断され、ＢＣＡｓｔａｔｅに戻る。以上により、閾値Ｔｈ１のみ、又は閾値Ｔｈ１、Ｔｈ２のみで簡単な方法によりスペース領域を判定することができる。
【図面の簡単な説明】
【０１０３】
【図１】本発明の実施の形態１にかかる再生装置を示す図である。
【図２】本発明の実施の形態１にかかるＢＣＡデータ取得方法を示すフローチャートである。
【図３】ＢＣＡ領域のデータ領域及びスペース領域を示す図であって、（ａ）はノイズがないとき、（ｂ）は、スペース領域にノイズが存在するとき、（ｃ）は、データ領域にノイズが存在する場合を示す。
【図４】本発明の実施の形態１にかかる再生装置のＢＣＡ信号先頭検索シーケンサの動作を説明するための図である。
【図５】同じく、本発明の実施の形態１にかかる再生装置のＢＣＡ信号先頭検索シーケンサの動作を説明するための図である。
【図６】同じく、本発明の実施の形態１にかかる再生装置のＢＣＡ信号先頭検索シーケンサの動作を説明するための図である。
【図７】本発明の実施の形態１にかかる再生装置のＢＣＡ信号先頭検索シーケンサの動作を示すフローチャートである。
【図８】本発明の実施の形態１にかかる再生装置のＢＣＡ信号先頭検索シーケンサの状態遷移を示す模式図である。
【図９】Ｔｈ１〜Ｔｈ３と、ディスク上の傷の大きさとの関係を示す模式図である。
【図１０】地点ＡからＢＣＡ信号を読み出し出力許可信号＝１となるまでの流れを示すタイミングチャートである。
【図１１】ＢＣＡデータ領域のノイズを読み出した際の流れを示すタイミングチャートである。
【図１２】ディスク上のＢＣＡ領域の位置を示す。
【図１３】Ｂｌｕ−ｌａｙのＢＣＡ信号検出例を示す図である。
【図１４】Ｂｌｕ−ｌａｙのＢＣＡデータ構造を示す図である。
【図１５】１−ｏｕｔ−ｏｆ−４ｍｏｄｕｌａｔｉｏｎ変換テーブルを示す図である。
【図１６】ＢＣＡ  ＳｙｎｃＢｙｔｅパターンを示す図である。
【図１７】本発明の実施の形態２にかかる再生装置を示す図である。
【図１８】Ｔｈ１のみでスペース領域を判定する場合を示すフローチャートである。
【図１９】Ｔｈ１、Ｔｈ２のみでスペース領域を判定する場合を示すフローチャートである。
【図２０】ディスク上のＢＣＡ信号領域を示す模式図である。
【図２１】ＢＣＡに記録されるデータのフォーマットを示す図である。
【図２２】特許文献１に記載のＤＶＤ再生装置を示す図である。
【図２３】特許文献１に記載の同期パターンの検出開始手順を示すフローチャートである。
【図２４】特許文献１に記載の同期パターンの検出終了を示すフローチャートである。
【符号の説明】
【０１０４】
１  再生装置
１１  ディスク
１２  スピンドルモータ
１３  ピックアップ制御部
１４  アナログ回路
１５  間隔測定器
１６  Ｔ変換器
１７  信号先頭検索シーケンサ
１８、５８  チャネルデータ変換器
１９、５９  復調器
２０  央処理装置
２０  エラー訂正回路
２１  バッファ制御回路
２２  バッファ
３１  ｂｃａｃｎｔ
３２  ｔｍｐｃｎｔ
３３  ｔｍｐｃｎｔ２
３４  ｓｐｃｎｔ
３５  ｂｂｕｆ
３６  ｂａｄｒ
３７  制御回路
４１  出力許可信号出力部
４３  記憶部
【図１】
0004814198.tif 000002
【図２】
0004814198.tif 000003
【図３】
0004814198.tif 000004
【図４】
0004814198.tif 000005
【図５】
0004814198.tif 000006
【図６】
0004814198.tif 000007
【図７】
0004814198.tif 000008
【図８】
0004814198.tif 000009
【図９】
0004814198.tif 000010
【図１０】
0004814198.tif 000011
【図１１】
0004814198.tif 000012
【図１２】
0004814198.tif 000013
【図１３】
0004814198.tif 000014
【図１４】
0004814198.tif 000015
【図１５】
0004814198.tif 000016
【図１６】
0004814198.tif 000017
【図１７】
0004814198.tif 000018
【図１８】
0004814198.tif 000019
【図１９】
0004814198.tif 000020
【図２０】
0004814198.tif 000021
【図２１】
0004814198.tif 000022
【図２２】
0004814198.tif 000023
【図２３】
0004814198.tif 000024
【図２４】
0004814198.tif 000025